(57)【特許請求の範囲】
【請求項１】
釣り用リールの回転部材を支持部材に対して回転自在に支持するための回転支持構造であって、
前記回転部材と支持部材との間に配置され、外輪、内輪、及び前記内輪と外輪との間に転動自在に配置された転動体を有する軸受と、
前記軸受の外部に対して露出する側面に前記外輪と内輪とに接触可能に配置され、外径が前記外輪の外径と同径かつ内径が前記内輪の内径と同径となるように形成された合成樹脂製のシールリングと、
を備えた釣り用リールの回転支持構造。
【請求項２】
前記シールリングは、摩擦係数が小さいナイロン樹脂製である、請求項１に記載の釣り用リールの回転支持構造。
【請求項３】
前記軸受は、シール構造を有するシールド軸受である、請求項１又は２に記載の釣り用リールの回転支持構造。
【発明の詳細な説明】
【０００１】
【発明の属する技術分野】
本発明は、回転支持構造、特に、釣り用リールの回転部材を支持部材に対して回転自在に支持するための釣り用リールの回転支持構造に関する。
【０００２】
【従来の技術】
一般に釣り用リールのスプールやハンドル等を回転支持する回転支持構造には、回転を滑らかにするためにボールベアリングが用いられている。釣り用リールに用いられるボールベアリング、特に、外部に対して露出する回転支持構造には、通常、水の侵入による腐食等を防止するために内外輪の間にシール構造を有するシールドベアリングが用いられている。たとえば、両軸受リールでは、ハンドルの把手軸内に配置されたボールベアリングやスプール軸を支持するボールベアリングにシールドベアリングが用いられている。また、スピニングリールでは、ハンドル軸の両端に配置されたボールベアリングにシールドベアリングが用いられている。
【０００３】
【発明が解決しようとする課題】
前記従来の回転支持構造では、淡水に対しては充分な耐蝕性が得られる。しかし、船釣りや磯釣り等の海釣りにより付着する塩分が多い海水に対しての耐蝕性が充分とは言えない。このため、海釣りに頻繁に使用すると、シールドベアリングといえども内外輪の間から海水が侵入し、鋼球や内外輪が腐食して回転が重くなることがある。
【０００４】
本発明の課題は、釣り用リールの回転支持構造に用いられる軸受の耐蝕性を向上させることにある。
【０００５】
【課題を解決するための手段】
発明１に係る釣り用リールの回転支持構造は、釣り用リールの回転部材を支持部材に対して回転自在に支持するための構造であって、軸受と、シールリングとを備えている。軸受は、回転部材と支持部材との間に配置され、外輪、内輪、及び内輪と外輪との間に転動自在に配置された転動体を有している。シールリングは、軸受の外部に対して露出する側面に外輪と内輪とに接触可能に配置され、外径が外輪の外径と同径かつ内径が内輪の内径と同径となるように形成された合成樹脂製のリングである。
【０００６】
この構造では、軸受の外輪と内輪の外部に対して露出する側面にシールリングが接触可能に配置されているので、外部から海水が侵入しても、軸受側に海水が入りにくくなり、軸受の耐蝕性が向上する。
【０００７】
発明２に係る釣り用リールの回転支持構造は、発明１に記載の構造において、シールリングは、摩擦係数が小さいナイロン樹脂製である。この場合には、シールリングの摩擦係数が小さくなるので、シールリングが外輪と内輪とに接触しても回転抵抗が大きく増加しない。
【０００８】
発明３に係る釣り用リールの回転支持構造は、発明１又は２に記載の構造において、軸受は、シール構造を有するシールド軸受である。この場合には、軸受自体がシール構造を有しているので、軸受の耐蝕性がさらに向上する。
【０００９】
【発明の実施の形態】
図１は、本発明の一実施形態による発電装置を採用した両軸受リールの平面図である。
【００１０】
図１に示す両軸受リールは、リール本体１と、リール本体１の側方に配置されたスプール回転用ハンドル２と、ハンドル２のリール本体１側に配置されたドラグ調整用のスタードラグ３と、カウンターケース４とを備えている。
【００１１】
カウンターケース４内には、表示制御装置１２と、各種のセンサ（図示せず）とが収容されているとともに、上面には液晶ディスプレイ１３と、複数の操作スイッチ１７とが表面に露出して設けられている。
【００１２】
図２に示すように、リール本体１は、フレーム５と、フレーム５の両側方に装着された第１カバー６及び第２カバー７とを有している。フレーム５は、所定の間隔をあけて互いに対向するように配置された１対の側板８，９と、これらの側板８，９を連結する前連結部１０及び後連結部１１とを有している。第１カバー６と側板８とにより形成される空間及び第２カバー７と側板９とにより形成される空間内は、ほぼ水密に封止されている。
【００１３】
フレーム５内には、スプール１４と、スプール１４に均一に糸を巻くためのレベルワインド機構１６が配置されている。フレーム５と第２カバー７との間の空間には、ギア機構１８と、クラッチ係脱機構１９と、係脱制御機構２０と、ドラグ機構２１と、キャスティングコントロール機構２２とが配置されている。
【００１４】
ギア機構１８は、ハンドル２からの回転力をスプール１４及びレベルワインド機構１６に伝える。クラッチ係脱機構１９は、クラッチの係脱により、ギア機構１８とスプール１４との係合状態及び離脱状態を切り換える。係脱制御機構２０は、クラッチレバー４０の操作に応じてクラッチの係脱を制御する。キャスティングコントロール機構２２は、スプール１４の回転時の抵抗力を調整する。また、フレーム５と第１カバー６との間の空間には、スプール１４とレベルワインド機構１６とを連動させる３枚の連動ギア５０ａ，５０ｂ，５０ｃからなる連動ギア機構５０が配置されている。この両軸受リールでは、スプール１４とレベルワインド機構１６とが連結されているので、レベルワインド機構１６は、スプール１４の回転方向に係わらず常にスプール１４と連動して動作する。
【００１５】
スプール１４は、その中心を貫通するスプール軸１５に固定されている。スプール軸１５の図２左端部には連動ギア５０ａが固定されている。スプール軸１５は軸受２３ａ，２３ｂによってフレーム５に回転自在に支持されている。軸受２３ｂは、図３に示すように、側板９に嵌め込まれた外輪４１と、スプール軸１５に嵌め込まれた内輪４２と、外輪４１と内輪４２とのあいだで転動する多数の鋼球４３とを有している。軸受２３ａもほぼ同様な構造である。これらの軸受２３ａ，２３ｂは、ステンレス製のシールドボールベアリングである。軸受２３ａ，２３ｂの外部に露出するそれぞれの内側面には、外輪４１と内輪４２とに接触してシールリング４４が配置されている。シールリング４４は、たとえばナイロン樹脂等の摩擦係数が小さい合成樹脂製のリング部材であり、露出側から海水等の腐食しやすい液体が軸受側に侵入するのを防止するために設けられている。このシールリング４４は摩擦係数が小さいので、外輪４１と内輪４２とに接触しても軸受１５ａ，１５ｂの回転抵抗はそれほど増加しない。一方、軸受２３ａ，２３ｂの外側面は、カバー６，７と側板８，９により閉鎖された空間内に面しているので、海水が侵入しにくい。このため、この側面にはシールリングは装着されていない。
【００１６】
レベルワインド機構１６は、１対の側板８，９間に固定されたガイド筒２５と、ガイド筒２５内に回転自在に支持されたウォームシャフト２６と、ラインガイド２７とを有している。ウォームシャフト２６には螺旋状の溝が形成されており、ラインガイド２７の一部がこの溝に噛み合っている。また、ウォームシャフト２６の一端には連動ギア５０ｃが固定されている。これにより、スプール１４の回転に従ってウォームシャフト２６が回転し、ラインガイド２７がガイド筒２５に沿って往復運動を行う。
【００１７】
ギア機構１８は、ドラグ機構２１によりハンドル軸３０と連動するメインギア３１と、メインギア３１に噛み合うピニオン３２とを有している。ピニオン３２は、クラッチ係脱機構１９によりスプール軸１５と係合あるいは離脱が可能である。
【００１８】
ハンドル２は、図１に示すように、ハンドル軸３０の先端に固定されたハンドルレバー４５と、ハンドルレバー４５の先端に固定された把手軸４６と、把手軸４６に回転自在に支持された把手４７とを有している。把手軸４６は、図４に示すように、ハンドルレバー４５の先端にカシメ固定されている。把手軸４６のハンドルレバー４５側には他の部分より大径の鍔部４６ａが形成されている。把手４７は、丸棒状の握り部４７ａと、握り部４７ａとＴ字形に直交するように握り部４７ａにねじ込まれた筒状の軸部４７ｂとを有している。握り部４７ａの軸方向の中心部には凹穴４７ｃが形成されており、この凹穴４７ｃに軸部４７ｂがねじ込まれている。軸部４７ｂは、両端に拡径された大径部４７ｄを有しており、この大径部４７ｄの内部に把手４７を回転自在に支持するための軸受４８ａ，４８ｂが装着されている。軸受４８ａ，４８ｂは、軸受１５ａ，１５ａと同様なステンレス製のシールドボールベアリングである。また、軸受４８ａは、一側（図３左側）が外部に露出する軸受であり、その一側と把手軸４６の鍔部４６ａとの間には、シールリング４９が外輪５１と内輪５２とに接触して配置されている。シールリング４９は、前述したシールリング４４と同様な材質のリング部材である。このようなシールリング４９を装着することで、軸受４８ａに外部から海水等が侵入しにくくなる。
【００１９】
次に、この両軸受リールの動作を説明する。
【００２０】
釣り糸を巻き取るときには、たとえば右手の人差し指と中指の間で軸部４７ｂを挟んだ状態で、握り部４７ａを人差し指と中指とで握って手を円運動させ、ハンドル２を糸巻き取り方向に回す。すると、把手４７がほぼ一定の姿勢を維持して円運動しハンドルレバー４５が回転する。このため、軸部４７ｂと把手軸４６とが相対回転する。この回転は軸受４８ａ，４８ｂにより受けられる。この相対回転時に、シールリング４９は軸受４８ａの外輪５１と内輪５２とに接触しているが、摩擦係数が小さいので回転抵抗の増加は少ない。しかも、シールリング４９を装着することで外部から海水が侵入しにくくなり、軸受４８ａの耐蝕性が向上する。
【００２１】
ハンドルレバー４５の回転はハンドル軸３０に伝達され、ドラグ機構２１を介してメインギア３１及びピニオン３２が回転する。ピニオン３２の回転は、クラッチ係脱機構１９によりピニオン３２と係合しているスプール軸１５に伝達され、スプール１４が回転して釣り糸を巻き取る。このスプール１４の回転は連動ギア機構５０を介してウォームシャフト２６に伝達され、ウォームシャフト２６の回転により前述のようにラインガイド２７がガイド筒２５に沿って往復運動を行う。この往復運動により、スプール１４に均一に釣り糸が巻き取られる。このスプール１４を支持する軸受２３ａ，２３ｂにもシールリング４４が接触しているため、外部から海水が侵入しにくくなり、軸受２３ａ，２３ｂの耐蝕性が向上する。
【００２２】
一方、釣り糸を繰り出すときには、クラッチレバー４０を操作してクラッチ係脱機構１９によりクラッチを離脱する。これにより、スプール軸１５とピニオン３２との嵌合が解除され、釣り糸は重り等の自重により繰り出され、スプール１４が糸繰り出し方向に回転する。このとき、シールリング４９により僅かに回転抵抗が発生するが、シールリングが摩擦係数が小さい合成樹脂製であるためその量はわずかであり、糸繰り出しに影響を与えるものではない。
【００２３】
〔他の実施形態〕
（ａ）  前記実施形態では、両軸受リールの軸受の側面にシールリングを装着したが、スピニングリールや片軸受リール等の他の釣り用リールに装着してもよい。図５では、スピニングリールのハンドル軸を支持する軸受に装着した実施形態を示している。図５において、スピニングリールのハンドル軸６１は、リール本体６０に軸受６２ａ，６２ｂにより回転自在に支持されている。ハンドル軸６１にはハンドル６３から延びる断面正方形の軸部６４が回転不能に挿入されている。また、ハンドル軸６１にはマスターギア６５が一体で形成されている。
【００２４】
軸受６２ａ，６２ｂは、前述した軸受と同様のステンレス製のシールドボールベアリングである。この軸受６２ａ，６２ｂの外輪６６及び内輪６７に接触して外部に露出した外側にシールリング６８，６８が配置されている。このような実施形態でも前記同様な効果が得られる。
【００２５】
（ｂ）  前記実施形態では、軸受としてボールベアリングを用いたが、本発明はこれに限定されるものではなく、コロ軸受や針状軸受等の他の形式の軸受にも本発明を適用できる。
【００２６】
【発明の効果】
本発明によれば、軸受の外輪と内輪の外部に対して露出する側面にシールリングが接触可能に配置されているので、外部から海水が侵入しても、軸受側に海水が入りにくくなり、軸受の耐蝕性が向上する。
【図面の簡単な説明】
【図１】  本発明の一実施形態を採用した両軸受リールの平面図。
【図２】  その横断面図。
【図３】  そのスプールを支持する軸受の断面拡大図。
【図４】  その把手を支持する軸受の断面拡大図。
【図５】  他の実施形態を採用したスピニングリールの背面断面図。
【符号の説明】
２３ａ，２３ｂ，４６ａ，６２ａ，６２ｂ  軸受
４１，５１，６６  外輪
４２，５２，６７  内輪
４３  鋼球
４４，４９，６８  シールリング
【図１】
0003771981.tif 000002
【図２】
0003771981.tif 000003
【図３】
0003771981.tif 000004
【図４】
0003771981.tif 000005
【図５】
0003771981.tif 000006